(57)【要約】【課題】フォトブックのレイアウトを変更した際に、手間をかけずに容易にレイアウト変更の際フォトブックのページから削除された画像を見つけ出すことができるフォトブック作成装置及びその制御方法並びにプログラムを提供する。【解決手段】  フォトブック作成装置としての情報処理装置１０は、フォトブックの各ページを編集する際、複数のページ配置候補画像を表示し、フォトブックの各ページに設定されたレイアウトの画像配置領域にその表示された複数のページ配置候補画像のうちユーザより選択された画像をページ画像として配置する。設定されたレイアウトの変更時にフォトブックから削除されたページ画像がある場合、そのページ画像をページ削除画像として記憶し、複数のページ配置候補画像のうちページ削除画像である画像を、複数のページ配置候補画像を表示する際に強調して表示する。【選択図】図４
2019128647.tif 000002
【特許請求の範囲】
【請求項１】
フォトブックの各ページを編集する際、複数のページ配置候補画像を表示するフォトブック作成装置であって、
前記フォトブックの各ページに設定されたレイアウトの画像配置領域に前記複数のページ配置候補画像のうちユーザより選択された画像をページ画像として配置する配置手段と、
前記設定されたレイアウトの変更時に前記フォトブックから削除されたページ画像がある場合、当該ページ画像をページ削除画像として記憶する記憶手段と、
前記複数のページ配置候補画像のうち前記ページ削除画像である画像を、前記複数のページ配置候補画像を表示する際に強調して表示する強調表示手段とを備えることを特徴とするフォトブック作成装置。
【請求項２】
前記強調表示手段は、前記ページ削除画像を前記複数のページ配置候補画像の先頭に配置することを特徴とする請求項１記載のフォトブック作成装置。
【請求項３】
前記強調表示手段は、前記ページ削除画像にマーカーを付与して表示することを特徴とする請求項１又は２記載のフォトブック作成装置。
【請求項４】
前記強調表示手段は、前記ページ削除画像が前記フォトブックから削除されてからの経過時間によって強調の度合いを変化させることを特徴とする請求項１又は２記載のフォトブック作成装置。
【請求項５】
前記強調表示手段は、前記ページ削除画像のうち、前記フォトブックの現在編集対象であるページから前記設定されたレイアウトの変更時に削除された画像の強調の度合いを最も高くすることを特徴とする請求項１又は２記載のフォトブック作成装置。
【請求項６】
前記設定されたレイアウトの変更時に前記ページ削除画像が生じた場合、その旨をユーザに通知する通知手段を更に備えることを特徴とする請求項１乃至５のいずれか１項に記載のフォトブック作成装置。
【請求項７】
前記通知手段による通知後、ユーザ操作に応じて前記生じたページ削除画像を表示する表示手段を更に備えることを特徴とする請求項６記載のフォトブック作成装置。
【請求項８】
前記強調表示手段は、前記ページ削除画像が、前記フォトブックのどのページから削除されたかを示す情報を併せて表示することを特徴とする請求項１乃至７のいずれか１項に記載のフォトブック作成装置。
【請求項９】
フォトブックの各ページを編集する際、複数のページ配置候補画像を表示するフォトブック作成装置の制御方法であって、
前記フォトブックの各ページに設定されたレイアウトの画像配置領域に前記複数のページ配置候補画像のうちユーザより選択された画像をページ画像として配置する配置ステップと、
前記設定されたレイアウトの変更時に前記フォトブックから削除されたページ画像がある場合、当該ページ画像をページ削除画像として記憶する記憶ステップと、
前記複数のページ配置候補画像のうち前記ページ削除画像である画像を、前記複数のページ配置候補画像を表示する際に強調して表示する強調表示ステップとを有することを特徴とする制御方法。
【請求項１０】
請求項９記載の制御方法を実行することを特徴とするプログラム。
【発明の詳細な説明】
【技術分野】
【０００１】
本発明は、フォトブック作成装置及びその制御方法並びにプログラムに関し、特に、電子的なフォトブックを作成するためのフォトブック作成装置及びその制御方法並びにプログラムに関する。
【背景技術】
【０００２】
昨今のデジタルカメラの普及により、デジタル画像を用いた写真アルバム（フォトブック）を作成するフォトブックサービスが急速に広がってきている。フォトブックサービスでは、ＰＣ上で画像や文字を配置したフォトブックデータを作成し、自宅のプリンタで印刷、または店頭端末やインターネット経由による印刷注文を行うことで、誰でも手軽にフォトブックを作成できる。
【０００３】
また、フォトブックを作成する際に、ユーザは、フォトブックのページのレイアウトを変更することで、フォトブックのページに様々なレイアウト上の特徴を持たせることができる。
【０００４】
ただし、ページのレイアウトの変更によりページに配置できる画像枚数が減少した場合、変更後もページに配置しておきたかった優先度の高い画像が意図せずページから削除されてしまうことがある。そのため、このようなレイアウト変更の際にページから削除された画像を見つけ出し、ページに容易に再配置できることが望まれる。
【０００５】
例えば、このようなレイアウト変更によってページから削除された画像をフォトブックに配置する候補画像の１つとして保持する技術が知られている（例えば、特許文献１参照）。この技術を用いれば、ユーザは、その削除された画像を候補画像の中から選択しフォトブックのいずれかのページに再配置できる。
【先行技術文献】
【特許文献】
【０００６】
【特許文献１】特開２００６−０７４５９１号公報
【発明の概要】
【発明が解決しようとする課題】
【０００７】
しかしながら、特許文献１では、レイアウト変更によりページから削除された画像以外にも複数の画像が候補画像として保持されるため、保持される候補画像の中から再配置すべき画像をユーザが判別することが困難だった。
【０００８】
そこで本発明は、フォトブックのレイアウトを変更した際に、手間をかけずに容易にレイアウト変更の際フォトブックのページから削除された画像を見つけ出すことができるフォトブック作成装置及びその制御方法並びにプログラムを提供することを目的とする。
【課題を解決するための手段】
【０００９】
本発明の請求項１に係るフォトブック作成装置は、フォトブックの各ページを編集する際、複数のページ配置候補画像を表示するフォトブック作成装置であって、前記フォトブックの各ページに設定されたレイアウトの画像配置領域に前記複数のページ配置候補画像のうちユーザより選択された画像をページ画像として配置する配置手段と、前記設定されたレイアウトの変更時に前記フォトブックから削除されたページ画像がある場合、当該ページ画像をページ削除画像として記憶する記憶手段と、前記複数のページ配置候補画像のうち前記ページ削除画像である画像を、前記複数のページ配置候補画像を表示する際に強調して表示する強調表示手段とを備えることを特徴とする。
【発明の効果】
【００１０】
本発明によれば、フォトブックのレイアウトを変更した際に、手間をかけずに容易にレイアウト変更の際フォトブックのページから削除された画像を見つけ出すことができる。
【図面の簡単な説明】
【００１１】
【図１】本発明の第１の実施形態に係るフォトブック作成装置としての情報処理装置のハードウェア構成を示すブロック図である。
【図２】図１におけるＨＤＤに保存されるアプリケーションプログラムの構成を説明するブロック図である。
【図３】情報処理装置におけるレイアウト決定時のページ削除画像の記憶処理の手順を示すフローチャートである。
【図４】情報処理装置におけるページ削除画像の表示処理の手順を示すフローチャートである。
【図５】図３のステップＳ１０１における処理を詳細に説明する図である。
【図６】図３のステップＳ１０３における処理について詳細に説明する図である。
【図７】図４のステップＳ２０２における処理について詳細に説明する図である。
【図８】図４のステップＳ２０４における処理について詳細に説明する図である。
【図９】図４のステップＳ２０４における処理の第１の変形例について詳細に説明する図である。
【図１０】図４のステップＳ２０４における処理の第２の変形例について詳細に説明する表である。
【発明を実施するための形態】
【００１２】
以下、本発明の実施の形態について、図面を参照して詳細に説明する。
【００１３】
＜第１の実施形態＞
図１は、本実施形態に係るフォトブック作成装置としての情報処理装置１０のハードウェア構成を示すブロック図である。
【００１４】
図１において、ＣＰＵ１０１は、情報処理装置１０の演算・制御をつかさどる中央演算装置である。ＲＡＭ１０２は、ＣＰＵ１０１の主メモリとして、及び実行プログラムの領域や該プログラムの実行エリアならびにデータエリアとして機能するランダムアクセスメモリである。
【００１５】
ＲＯＭ１０３は、ＣＰＵ１０１の動作処理手順を記憶しているリードオンリーメモリである。ＲＯＭ１０３には情報処理装置１０の機器制御を行うシステムプログラムである基本ソフト（ＯＳ）を記録したプログラムＲＯＭと、システムを稼働するために必要な情報等が記録されているデータＲＯＭがある。また、ＲＯＭ１０３の代わりに、後述のＨＤＤ１０９、ＮＡＮＤ型フラッシュメモリ、ＳＤカード、ソリッドステートドライブ（ＳＳＤ）等を用いてもよい。
【００１６】
ＮＥＴＩＦ１０４は、ネットワークインターフェースであり、ネットワークを介して他の情報処理装置（不図示）との間のデータ転送を行うための制御や接続状況の診断を行う。ビデオＲＡＭ（ＶＲＡＭ）１０５は、後述する情報処理装置１０の稼働状態を示すＣＲＴ１０６の画面に表示させるためのフォトブック情報を展開し、その表示の制御を行う。
【００１７】
ＣＲＴ１０６は、ディスプレイ等の表示装置である。ＫＢＣ１０７は、外部入力装置１０８からの入力信号を制御するためのコントローラである。ＫＢ１０８は、利用者が行う操作を受付けるための外部入力装置であり、例えばキーボードやマウス等のポインティングデバイス、タッチパネルディスプレイが用いられる。
【００１８】
ＨＤＤ１０９は、ハードディスクドライブであり、後述する図２のアプリケーションプログラムや各種データの保存用に用いられる。ＨＤＤ１０９の代わりにＮＡＮＤ型フラッシュメモリ、ＳＤカード、ソリッドステートドライブ（ＳＳＤ）等を用いてもよい。本実施形態におけるアプリケーションプログラムとは、本実施形態における各種処理手段を実行するソフトウェアプログラム（モジュール）等である。
【００１９】
ＦＤＤ１１０は、外部入出力装置であり、例えばフロッピーディスクドライブ、ＣＤ−ＲＯＭドライブ、ＳＤカード等のリムーバブルディスクを入出力するものであり、上述したアプリケーションプログラムの媒体からの読み出し等に用いられる。
【００２０】
ＦＤ１１１は、ＦＤＤ１１０によって読み出しされる磁気記録媒体（例えば、フレキシブルディスクや外付けハードディスク）である。なお、ＦＤ１１１を構成するメディアは、磁気記録媒体に限らない。例えば、光記録媒体（例えば、ＣＤ−ＲＯＭ）、光磁気記録媒体（例えば、ＭＯ）、半導体記録媒体（例えば、ＳＤカード）等の取り外し可能なデータ記録装置（リムーバブル・メディア）で構成されていてもよい。
【００２１】
尚、ＨＤＤ１０９に格納するアプリケーションプログラムやデータをＦＤ１１１に格納して使用することも可能である。
【００２２】
図２は、図１におけるＨＤＤ１０９に保存されるアプリケーションプログラムの構成を説明するブロック図である。本実施形態では、ＨＤＤ１０９が、アプリケーションプログラムを構成する、以下説明する複数の処理モジュールを保存すると共に、各処理モジュールで使用する情報を格納する記憶領域を有する。各処理モジュール及びその記憶領域の間の制御及び情報の流れを以下に説明する。
【００２３】
図２において、ページ画像配置手段２０１、レイアウト決定手段２０２、ページ削除画像記憶手段２０３、ページ配置候補画像表示手段２０４、ページ削除画像強調表示手段２０５の各手段は処理モジュールである。また、フォトブック情報記憶部２０６はこれら処理モジュールで使用する情報を格納する記憶領域である。これら処理モジュールは、ＨＤＤ１０９から読み込まれてＲＡＭ１０２に展開され、ＣＰＵ１０１により実行されるアプリケーションプログラム、又は同プログラムの一部として動作するモジュールである。フォトブック情報記憶部２０６には、ページ配置候補画像、候補レイアウト、ページ削除画像といった、各処理モジュールで使用される情報（以下、「フォトブック情報」という。）が格納されている。
【００２４】
上記各処理モジュールやフォトブック情報は、情報処理装置１０の自動起動時やユーザがＫＢ１０８で情報や指示を入力した時などに必要に応じてＨＤＤ１０９からＲＡＭ１０２に展開しＣＰＵ１０１へ伝えられる。ＣＰＵ１０１で演算し必要な処理モジュール及びフォトブック情報をＲＯＭ１０３等よりＲＡＭ１０２に展開しＣＰＵ１０１へ伝える。その後、ＣＰＵ１０１で演算した結果を、必要がある場合、フォトブック情報記憶部２０６にその演算結果の情報をフォトブック情報として書き込む。また同時に、ＣＰＵ１０１での演算した結果を、必要がある場合、ＶＲＡＭ１０５を介してＣＲＴ１０６に結果の情報を表示する。ＣＰＵ１０１、ＲＡＭ１０２、ＲＯＭ１０３、ＶＲＡＭ１０５、ＫＢＣ１０７、ＨＤＤ１０９間の伝送は伝送バス１００を通じて行われる。
【００２５】
次に、情報処理装置１０においてフォトブックのレイアウトの変更時にページから削除された画像（以下「ページ削除画像」という。）が生じた場合に実行される処理について、図３のフローチャートを用いて詳細に説明する。
【００２６】
図３は、情報処理装置１０におけるレイアウト決定時のページ削除画像の記憶処理の手順を示すフローチャートである。
【００２７】
既にフォトブックの各ページには、ページ画像配置手段２０１とレイアウト決定手段２０２によって、レイアウトが設定され、そこに画像が配置されているものとする。本処理は、ユーザが各ページのレイアウトを変更する操作を行ったときに開始する。
【００２８】
レイアウト決定手段２０２は、フォトブック情報記憶部２０６に格納されている候補レイアウトを取得し、ユーザが選択した候補レイアウトをフォトブックのページに適用し、レイアウト変更を行う。（ステップＳ１０１）。次に、レイアウト決定手段２０２は、レイアウト変更によるページ削除画像が存在するかどうかを判定する（ステップＳ１０２）。ここで、ページ削除画像が存在する場合、ページ削除画像記憶手段２０３は、フォトブック情報記憶部２０６にページ削除画像を記憶し（ステップＳ１０３）、本処理を終了する。尚、ステップＳ１０３において、レイアウト変更によりページ削除画像が生じた旨をユーザに通知する警告画面をＣＲＴ１０６で表示するようにしてもよい。さらに、その警告画面による通知後、ユーザ操作、例えば、警告画面にある「ページ削除画像を表示する」のアイコンの選択に応じて、生じたページ削除画像をＣＲＴ１０６で表示するようにしてもよい。
【００２９】
一方、ステップＳ１０２の判定の結果、ページ削除画像が存在しない場合、本処理をそのまま終了する。
【００３０】
本処理を現在編集対象であるフォトブックのページ（以下「編集ページ」という）のそれぞれで実行することで、レイアウト変更による全てのページ削除画像をフォトブック情報記憶部２０６に記憶することができる。
【００３１】
次に、情報処理装置１０において、上記図３の処理が行われた後にページ配置候補画像を表示する際の処理について、図４のフローチャートを用いて詳細に説明する。
【００３２】
図４は、情報処理装置１０におけるページ削除画像の表示処理の手順を示すフローチャートである。
【００３３】
ユーザ操作に応じてレイアウト決定手段２０２がフォトブックの新規ページに対しレイアウトを設定したとき、あるいは編集済みのページがユーザにより選択された時に本処理が開始する。すなわち、本処理開始時において、ＣＲＴ１０６には、画像が未配置のレイアウト設定済みの新規ページ、又は、既に画像が配置されている編集済のページが、編集ページとして表示されている。
【００３４】
ページ配置候補画像表示手段２０４によって、編集ページに対するフォトブック情報記憶部２０６に格納されているページ配置候補画像を取得する（ステップＳ２０１）。次に、ページ画像配置手段２０１は、フォトブック情報記憶部２０６にページ削除画像が存在するかどうかを判定する（ステップＳ２０２）。ページ削除画像が存在しない場合は、ページ配置候補画像表示手段２０４によって、取得されたページ配置候補画像を一覧表示する（ステップＳ２０３）。一方、ページ削除画像が存在する場合は、ページ削除画像強調表示手段２０５によって、ページ削除画像を強調表示した状態で、ページ配置候補画像表示手段２０４によって、ページ配置候補画像を一覧表示する（ステップＳ２０４）。ステップＳ２０３又はステップＳ２０４の実行後、本処理を終了する。
【００３５】
本処理を、画像が未配置のレイアウト設定済みの新規ページ、又は、既に画像が配置されている編集済のページを編集ページとしてＣＲＴ１０６に表示する度に実行する。これにより、ユーザはページ削除画像を容易に変更後のレイアウトの任意のページに再配置させることができる。
【００３６】
図５は、図３のステップＳ１０１における処理を詳細に説明する図である。
【００３７】
レイアウト設定が可能なフォトブック編集画面５０１に表示される編集ページ５０２には、ページ画像配置手段２０１によって、左上、左下、右上、右下に夫々に配置された画像５０３，５０４，５０５，５０６の計４枚がページ画像として存在する。また、レイアウト決定手段２０２は、フォトブック情報記憶部２０６に格納されている候補レイアウトから編集ページ５０２に設定可能なレイアウトを取得し、編集ページの下段に表示する。その表示されたレイアウトの１つがユーザにより選択された場合、図３のステップＳ１０１で上述のように、レイアウト決定手段２０２は、その選択されたレイアウトで編集ページ５０２に現在適用されているレイアウトを変更する。本実施例では、編集ページ５０２に設定可能なレイアウトとして、レイアウト１  ５０７、レイアウト２  ５０８、レイアウト３  ５０９、レイアウト４  ５１０が存在する。このうち、４枚の画像が配置できるレイアウト３  ５０９が編集ページ５０２に現在適用されている。また、本実施例では、編集ページ５０２に現在適用されているレイアウトがレイアウト３  ５０９であることを示すべく、編集ページ５０２の下段に表示されるレイアウト３  ５０９はレイアウト枠５１１により強調表示される。
【００３８】
図６は、図３のステップＳ１０３における処理について詳細に説明する図である。
【００３９】
図５において、編集ページ５０２の下段に表示されるレイアウトから、ユーザがレイアウト１  ５０７を選択すると、編集ページ５０２のレイアウト３  ５０９がレイアウト１  ５０７に変更される。この結果、図６に示すような編集ページ６０１がフォトブック編集画面５０１表示される。このレイアウト変更に伴い、編集ページ６０１の左のページには、図５の画像５０３に対応する画像６０２が配置され、編集ページ６０１の右のページには、図５の画像５０５に対応する画像６０３が配置される。また、編集ページ６０１に現在適用されているレイアウトがレイアウト１  ５０７であることを示すべく、編集ページ５０２の下段に表示されるレイアウト１  ５０７はレイアウト枠６０４により強調表示される。このレイアウト変更が行われた場合、図３のステップＳ１０２で上述の通り、レイアウト決定手段２０２は、レイアウト変更によるページ削除画像が存在するかどうかを判定する。ここでは、図５の編集ページ５０２に配置されていた画像５０４，５０６がレイアウト変更によるページ削除画像となるため、ページ削除画像が存在すると判定される。この場合、図３のステップＳ１０３で上述のように、ページ削除画像記憶手段２０３は、フォトブック情報記憶部２０６のページ削除画像保存領域６０５に画像５０４，５０６をそれぞれページ削除画像６０６、６０７として記憶する。このようにして、レイアウト変更によってページ削除画像が発生した場合、ページ削除画像を記憶することができる。
【００４０】
図７は、図４のステップＳ２０２における処理について詳細に説明する図である。
【００４１】
フォトブック編集画面７０１には、フォトブックの新規ページに対してレイアウト２  ５０８が適用された編集ページ７０２が表示されている。この編集ページ７０２には、左の画像配置領域７０３、右上の画像配置領域７０４、右下の画像配置領域７０５が存在し、まだ画像は配置されていない状態となっている。また、左の画像配置領域７０３が現在選択された状態となっていることを示すべく、左の画像配置領域７０３は強調表示されている。一方、フォトブック編集画面７０１の下部には、ページ配置候補画像表示手段２０４によってフォトブック情報記憶部２０６から取得したページ配置候補画像７０６〜７１３までが表示されている。ユーザによりこれらのページ配置候補画像の中の１つが選択されると、その選択されたページ配置候補画を現在選択中の画像配置領域である左の画像配置領域７０３へ配置する。
【００４２】
このとき、ページ削除画像強調表示手段２０５は、ステップＳ２０２で上述の通り、フォトブック情報記憶部２０６のページ削除画像保存領域６０５にページ削除画像が存在するかを判定する。判定の結果、存在する場合は、ページ削除画像を取得し、フォトブック編集画面７０１の下部にあるページ配置候補画像のうちそのページ削除画像に該当するものを後述する図８、図９に示す方法により強調表示する。
【００４３】
図８は、図４のステップＳ２０４における処理について詳細に説明する図である。
【００４４】
フォトブック編集画面７０１の下部には、ページ配置候補画像８０１〜８０８が画像一覧として表示される。また、そのうちのページ配置候補画像８０１，８０２の２枚が、図５に示すレイアウトから図６に示すレイアウトへの変更により編集ページ５０２から削除された画像であるページ削除画像に該当する。ページ削除画像強調表示手段２０５は、これらのページ削除画像に該当するページ配置候補画像８０１，８０２を画像一覧の先頭に配置することで強調表示する。これによって、ユーザは、先頭に表示されたページ配置候補画像を選択することで、容易にページ削除画像をレイアウトに配置することができる。
【００４５】
図９は、図４のステップＳ２０４における処理の第１の変形例について詳細に説明する図である。
【００４６】
ページ削除画像強調表示手段２０５は、図７のページ配置候補画像７０６〜７１３のうち、ページ削除画像であるページ配置候補画像７１１，７１３に対して、ページ削除画像であることが分かるマーカー９０１を付与する。これによって、ユーザは、マーカーが表示されたページ配置候補画像を選択することで、容易にページ削除画像を編集ページ７０２の画像配置領域７０３〜７０５のいずれかに配置することができる。尚、図８のように、画像一覧の先頭にこのマーカー９０１が付与されたページ削除画像を配置するようにしてもよい。
【００４７】
図１０は、図４のステップＳ２０４における処理の第２の変形例について詳細に説明する表である。ページ削除画像強調表示手段２０５は、レイアウト変更によって編集ページから削除されページ削除画像となった日時からの経過時間によって、強調の度合いを変化させる。図１０の表には、列１００１に示す画像名のページ配置候補画像のうちページ削除画像に対して、列１００２〜１００５にはそれぞれ、編集ページからの削除日時、削除されてからの経過時間、その優先度、強調表示のため付されるマーカーの濃度が示される。ここで、画像名  ＩＭＧ＿０００１、ＩＭＧ＿０００２、ＩＭＧ＿０００５、ＩＭＧ＿０００７、ＩＭＧ＿０００８の５枚は、ページ削除画像であり、現在の時間は２０１６年１０月８日１６時である。かかる場合、列１００３に示す削除されてからの経過時間は、５枚のページ削除画像のそれぞれに対し、２９．２５、２９．１７、０．７５、１．３０、５．５０時間となる。
【００４８】
図８の説明の際に上述したように、ページ配置候補画像を画像一覧として表示する際にその先頭にページ削除画像が配置される。この配置の順番は列１００４に示す優先度に基づいて決定されるため、ＩＭＧ＿０００５、ＩＭＧ＿０００７、ＩＭＧ＿０００８、ＩＭＧ＿０００１、ＩＭＧ＿０００２が順に配置される。その続きに残りのページ配置候補画像が表示される。これによって、ユーザは、ページ削除されてから間もないページ削除画像から順にページ配置候補画像を選択することができる。
【００４９】
図９のように、ページ削除画像にマーカーを付与する場合、列１００５に示すマーカーの濃度に基づいてマーカーの色の濃さを設定する。ページ削除画像に付与されるマーカーの濃度は、ページ削除画像がレイアウト変更により編集ページから削除されてからの経過時間によって段階的に変化する。本実施例では、削除されてから２時間以内のマーカーの色の濃さは列１００５において「濃い」に設定され、１０時間以内のものは「普通」に設定され、１０時間を超えるものは「薄い」に設定される。このため、図１０の表に示すように、画像名がＩＭＧ＿０００１及びＩＭＧ＿０００２であるページ削除画像には濃度の薄いマーカーが付与され、画像名がＩＭＧ＿０００５、ＩＭＧ＿０００７であるページ削除画像には濃度の濃いマーカーが付与される。また、画像名がＩＭＧ＿０００８であるページ削除画像には濃度が普通のマーカーが付与される。すなわち、優先度の高い、ページ削除画像となってからあまり時間がたっていないページ候補画像であるほどそれに付されたマーカーの濃度が濃くなる。よって、ユーザは優先度の高いページ削除画像をページ配置候補画像の中から選択することができる。
【００５０】
また、現在の編集ページからレイアウトの変更に伴い削除された画像の優先度を最も高くするようにしてもよい。
【００５１】
尚、図８〜１０のいずれかの方法でページ削除画像に該当するページ配置候補画像を強調表示する際、その画像がフォトブックのどのページから削除されたかを示す情報を併せて表示するようにしてもよい。
【００５２】
なお、本発明の目的は、以下の処理を実行することによって達成される。即ち、上述した実施の形態の機能を実現するプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。
【００５３】
この場合、記憶媒体から読み出されたプログラムコード自体が前述した実施の形態の機能を実現することになり、そのプログラムコード及び該プログラムコードを記憶した記憶媒体は本発明を構成することになる。
【００５４】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【００５５】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施の形態の機能が実現される場合も含まれる。
【００５６】
更に、前述した実施の形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【００５７】
更に、前述した実施の形態の機能がネットワークを介した複数のコンピュータ上で実現される場合も本発明に含まれる。例として、各機能をサーバとクライアントで分担し、管理機能をサーバで処理、表示機能をクライアントで処理する場合である。これに限らず、各コンピュータでそれぞれ処理の一部またはすべてを処理してもよい。
【００５８】
以上、本発明の好ましい実施形態について説明したが、本発明はこれらの実施形態に限定されず、その要旨の範囲内で種々の変形及び変更が可能である。
【符号の説明】
【００５９】
１００  伝送バス
１０１  ＣＰＵ
１０２  ＲＡＭ
１０９  ＨＤＤ
２０１  ページ画像配置手段
２０２  レイアウト決定手段
２０３  ページ削除画像記憶手段
２０４  ページ配置候補画像表示手段
２０５  ページ削除画像強調表示手段
２０６  フォトブック情報記憶部
【図１】
2019128647.tif 000003
【図２】
2019128647.tif 000004
【図３】
2019128647.tif 000005
【図４】
2019128647.tif 000006
【図５】
2019128647.tif 000007
【図６】
2019128647.tif 000008
【図７】
2019128647.tif 000009
【図８】
2019128647.tif 000010
【図９】
2019128647.tif 000011
【図１０】
2019128647.tif 000012